(57)【要約】【課題】  ファインダ−内で見た画像と同等のネガ画像になるようにした逆ガリレオ式ファインダ−装置を提供する。【解決手段】    被写体側から順に、負の焦点距離を有する対物レンズ4と、正の焦点距離を有する接眼レンズ5を同光軸上に配置して構成された、逆ガリレオ式ファインダ−装置の光軸中心部分の被写体を観察するためのセンタ−ファインダ−装置を設け、前記逆ガリレオ式ファインダ−装置及び、センタ−ファインダ−装置は、同光軸上に配置するとともに、倍率は異なった別々のファインダ−装置倍率に設定して設けることを特徴とする逆ガリレオ式ファインダ−装置。【選択図】  図1
2007047445.tif 000002
【特許請求の範囲】
【請求項１】
被写体側から順に、負の焦点距離を有する対物レンズと、正の焦点距離を有する接眼レンズを同光軸上に配置して構成された、逆ガリレオ式ファインダ−装置の光軸中心部分の被写体を観察するためのセンタ−ファインダ−装置を設け、前記逆ガリレオ式ファインダ−装置及び、センタ−ファインダ−装置は、同光軸上に配置するとともに、倍率は異なった別々のファインダ−装置倍率に設定して設けることを特徴とする逆ガリレオ式ファインダ−装置。
【発明の詳細な説明】
【技術分野】
【０００１】
本発明は、ファインダ−装置内で見た画像と同等のネガ画像になるようにした
逆ガリレオ式ファインダ装置に関するものである。
【背景技術】
【０００２】
特開平８−２４８４７９号公報では、逆ガリレオ式ファインダ−装置の対物レンズに、タ−ゲットマ−クを設けるとともに、接眼レンズにタ−ゲットマ−クを観察するためのマイクロレンズを設うけ、撮影者がマ−クの像とともにその本来の被写体像も同じ視度のままで観察することができるようにした構造のものがある。
【特許文献１】特開平８−２４８４７９号公報
【発明の開示】
【発明が解決しようとする課題】
【０００３】
しかしながら、次のような問題点があった。
逆ガリレオ式ファインダ−装置に、タ−ゲットマ−クを装着したレンズ付カメラのタ−ゲットマ−クを接眼レンズより覗く時に、撮影者はファインダ−装置視野範囲全体を確認せずに、被写体をタ−ゲットマ−クのセンタ−に入れるようにして撮影することが多く、ファインダ−装置周縁部を確認することが少ない。そのため、レンズ付カメラの持ち方が悪いことに気付かずにシャッタ−を切るため、ファインダ−装置視野範囲で見た像と、撮影用レンズによってフイルムに撮影される露光画像（仕上りプリント）にずれを生じることがある。
【０００４】
本発明は、ファインダ−装置内で見た画像と同等のネガ画像になるようにした逆ガリレオ式ファインダ−装置を提供することを目的とする。
【課題を解決するための手段】
【０００５】
上記目的を達成するため、被写体から順に、負の焦点距離を有する対物レンズと、正の焦点距離を有する接眼レンズを、同光軸上に配置して構成された、逆ガリレオ式ファインダ−装置の光軸中心部分の被写体を観察するためのセンタ−ファインダ−装置を設け、前記逆ガリレオ式ファインダ−装置及び、センタ−ファインダ−装置は、同光軸上に配置するとともに、倍率は異なった別々のファインダ−装置倍率に設定して設けることを特徴とする逆ガリレオ式ファインダ−装置。
【発明の効果】
【０００６】
本発明の逆ガリレオ式ファインダ−装置の光軸上に設けた、倍率の異なるセンタ−ファインダ−装置により、センタ−ファインダ−装置内画像と、センタ−ファインダ−装置周辺ファインダ−装置画像のずれを合わせることで、センタ−ファインダ−装置内で確認した中心画像と、撮影用レンズによってフイルムに撮影される露光画像の中心を同等にすることができるので、センタ−ファインダ−装置内画像のずれを合わせることで撮りたいと思った被写体が、そのまま、仕上りプリントとすることができる。
【発明を実施するための最良の形態】
【０００７】
以下、本発明の実施形態について説明する。
図3.は、逆ガリレオ式ファインダ−装置を示す分解斜視図であり、図4.は、そのファインダ−装置の縦断面図である。図3.図4に示すように、逆ガリレオ式ファインダ−装置（以後、ファインダ−装置と記す）は、対物レンズ4、接眼レンズ5で構成され、カメラの種類別にファインダ−装置収納ユニットを設け、撮影範囲を決めるためファインダ−装置倍率を設定している。
【０００８】
図2.は、本発明のファインダ−装置を装着したファインダ−装置の縦断面図である。図4.に示すファインダ−装置の光軸Ｌを中心にし、リング形状の対物レンズ1a、接眼レンズ2bで構成され、図4で示すファインダ−装置の倍率と異なった、図5で示すファインダ−装置（以後、センタ−ファインダ−と記す）を設ける。図5.に示すセンタ−ファインダ−倍率は１倍で設定した。
【０００９】
図4.で示す、対物レンズ4の焦点距離をＦ1・接眼レンズ5の焦点距離をＦ2とし、ファインダ−装置倍率は、F1  /  F2とする。図5.で示す、対物レンズ１aの焦点距離をＦ3・接眼レンズ2ｂの焦点距離をＦ4とし、センタ−ファインダ−装置倍率は、Ｆ3  /  Ｆ4とする。図4.図5.の倍率は、  Ｆ1  /  Ｆ2  ＜  Ｆ3  /  Ｆ4  ＜  Ｆ1  /  Ｆ2  と異なった倍率に設定する。また、図4.図5.の倍率差及び、センタ−ファインダ−装置外径は、ファインダ−装置内で像の大きさが異なり、撮影者がセンタ−ファインダ−装置周囲画像と、センタ−ファインダ−装置内画像のずれを確認するのに容易なセンタ−ファインダ−装置の外径とするとともに、倍率差とするのが望ましい。
【００１０】
図2.に示す、センタ−ファインダ−装着ファインダ−装置でも、十分にセンタ−ファインダ−装置内画像を確認できるが、光軸上に設けたセンタ−ファインダ−装置内の画像と、周辺ファインダ−装置の境目の画像をクリヤ−にするために、図1で示すように、図6.のパイプ3をセンタ−ファインダ−の外径に合わせて設置することで、センタ−ファインダ−装置内の像が見易くできる。
【００１１】
図2.に示す、センタ−ファインダ−装着ファインダ−装置は、成形金型により同時に形成するようにすれば、製造工程を簡略化できるので、製造コストを安価に抑えられる。
【００１２】
図9は、レンズ付カメラにセンタ−ファインダ−装置を装着し、テスト用被写体をセンタ−ファインダ−装置内で像を合わせて撮影を行った時の中心部分像が、ネガに撮影された時にテスト用被写体の中心部分像を測定し散布図に転記したものである。散布図は、撮影駒２７駒（フイルム27EX）をネガ画面(36mm×24mm)の中心点より2mm四方を拡大表示したものです。
【００１３】
一般に普及しているフイルムは３５ミリフイルムであり、１画面の大きさは縦２４mm×横３６ｍｍのサイズである。３５ｍｍフイルムを装填したレンズ付カメラにセンタ−ファインダ−装置を装着して撮影を行うと、センタ−ファインダ−装置内中心画像が撮影ネガ画像の中心より１ｍｍ以内のバラツキに押えられることを確認できた。以上の結果より、ファインダ−視野率を１画面の縦２４ｍｍに対し９０％以上（最高９３．３％）を確保することができた。
【００１４】
本発明は、以上のような構成で使用するときは、図1.に示す、センタ−ファインダ−装着のファインダ−装置の接眼レンズ2を覗き、視野範囲全体の構図を決める。ファインダ−装置内の視野範囲の構図が決まったら、接眼レンズ2の中心部に設けたセンタ−ファインダ−装置を覗く,ファインダ−装置全体の視野倍率と、中心部に設けたセンタ−ファインダ−装置視野倍率が異なるように構成されているため、ファインダ−装置とセンタ−ファインダ−装置内の被写体の大きさが異なる。また、ファインダ−装置を覗く角度・カメラの持ち方で、フイルム面の中心部分に対して垂直にならないと、図7.に示すように、像にずれを生じる。センタ−ファインダ−装置周囲にずれが生じている像を図8.に示すようにカメラを動かして合わせる。像が合ったらファインダ−装置視野範囲全体を確認しシャッタ−を切ると、ファインダ−装置で覗いて撮りたい被写体が、そのまま仕上プリントにできる。
【００１５】
実施形態では、レンズ付カメラファインダ−装置として使用したが、本発明は、センタ−ファインダ−装置とファインダ−装置を同光軸上に配置するとともに、異なった別々のファインダ−装置倍率で、センタ−ファインダ−装置内の画像とセンタ−ファインダ−装置周囲ファインダ−装置画像のずれを合わせることを目的としているため、撮影者がセンタ−ファインダ−装置内画像とセンタ−ファインダ−装置周囲画像のずれを確認するのに容易で、センタ−ファインダ−装置の光軸上であれば、設置位置・設置形状・設置倍率などに幅を持たせられる。そのため、他のカメラ製品でも、コンパクトカメラのように、ファインダ−装置と撮影レンズが一体化されていない、低価格性が求められるカメラ製品に採用されると効果的である。
【図面の簡単な説明】
【００１６】
【図１】逆ガリレオ式ファインダ−装置に本発明を用いた一部断面図記載の分解斜視図である。
【図２】逆ガリレオ式ファインダ−装置に本発明を用いた分解断面図である。
【図３】従来の逆ガリレオ式ファインダ−装置の分解斜視図である。
【図４】従来の逆ガリレオ式ファインダ−装置の分解断面図である。
【図５】センタ−ファインダ−装置の分解断面図である。
【図６】パイプ斜視図である。
【図７】センタ−ファインダ−内被写体のズレ発生時の正面図である。
【図８】センタ−ファインダ−内被写体の合致時の正面図である。
【図９】センタ−ファインダ−中心点とネガ撮影時の中心点比較の散布図である。
【符号の説明】
【００１７】
1    センタ−ファインダ−を設けた対物レンズ
2    センタ−ファインダ−を設けた接眼レンズ
3    パイプ
4    従来の逆ガリレオ式ファインダ−の対物レンズ
5    従来の逆ガリレオ式ファインダ−の接眼レンズ
1a   センタ−ファインダ−の対物レンズ
2b   センタ−ファインダ−の接眼レンズ
Ｆ1.  従来の逆ガリレオ式ファインダ−対物レンズの焦点距離
Ｆ2.  従来の逆ガリレオ式ファインダ−接眼レンズの焦点距離
Ｆ3  センタ−ファインダ−対物レンズの焦点距離
F4   センタ−ファインダ−接眼レンズの焦点距離
Ｌ    光軸
【図１】
2007047445.tif 000003
【図２】
2007047445.tif 000004
【図３】
2007047445.tif 000005
【図４】
2007047445.tif 000006
【図５】
2007047445.tif 000007
【図６】
2007047445.tif 000008
【図７】
2007047445.tif 000009
【図８】
2007047445.tif 000010
【図９】
2007047445.tif 000011